(57)【要約】【課題】二枚のパネル体を揺動自在に連結するヒンジユニットの構成を、パネル体の揺動支軸の調整が簡単にできる構成とする。【解決手段】二枚の主、副パネル体３、４の側部同士を、パネル面同士が対向する折り畳み姿勢とパネル側端面同士が対向する伸展姿勢とに変姿揺動自在に連結するヒンジユニット６を、先端側のパネル固定片１１ａに各パネル体３、４がそれぞれ固定される一対の取り付けプレート１１と、これら取り付けプレート１１の基端側のギア連結片１１ｂに一体的に設けられ、互いに噛合して回転することで各取り付けプレート１１を揺動自在とする一対のギア体１２と、噛合状態のギア体１２同士を各取り付けプレート１１とともに回転自在に支持するギアプレート１３とにより構成する。【選択図】図４
2008303561.tif 000002
【特許請求の範囲】
【請求項１】
二枚のパネル体の側部同士を、パネル面同士が対向する折り畳み姿勢とパネル側端面同士が対向する伸展姿勢とに変姿揺動自在に連結するヒンジユニットであって、該ヒンジユニットを、先端部に各パネル体がそれぞれ固定される一対の取り付けプレートと、これら取り付けプレートの基端部に一体的に設けられ、互いに噛合して回転することで各取り付けプレートを揺動自在とする一対のギア体と、噛合状態のギア体を取り付けプレートとともに回転自在に支持するギアプレートとにより構成したヒンジユニット。
【請求項２】
パネル体は折り戸を構成するものとし、ヒンジユニットにより連結されるパネル体のあいだには、長尺中空状のパイプ体が介装されている請求項１に記載のヒンジユニット。
【請求項３】
ヒンジユニットは、ギアプレートをパイプ体の端部に固定するように構成されている請求項２に記載のヒンジユニット。
【請求項４】
ヒンジユニットのギア体は、パイプ体に内装されるように構成されている請求項２または３に記載のヒンジユニット。
【発明の詳細な説明】
【技術分野】
【０００１】
本発明は、二枚のパネル体を揺動自在に連結するためのヒンジユニットの技術分野に属するものである。
【背景技術】
【０００２】
一般に、複数のパネル体により開口部を開閉するようにした開閉装置のなかには、隣接するパネル体のパネル側端部同士の上下端部を、一対のギアを用いて構成した連結部材（ヒンジユニット）により揺動自在に連結し、パネル面同士が対向してパネル体が折り畳まれた状態となる折り畳み姿勢と、パネル側端面同士が対向して伸展された状態となる伸展姿勢とに揺動変姿することにより、開口部を開閉するようにした所謂折り戸装置が知られている。このようなものにおいて、パネル体が折り畳み姿勢から伸展姿勢に変姿する過程では、隣接するパネル体の側端面同士のあいだが次第に近接対向するように作動し、ここに指などを挟み込む惧れがあって、対策が求められている。
【０００３】
この対策として、隣接するパネル側端面同士のあいだに、Ｔ字形のバリケード体を設けて、バリケードがパネル側端面間を塞ぐことで指挟みを防止するように構成したものが提唱されている（特許文献１）。
さらには、隣接するパネル体同士のあいだに固定部材（本発明のパイプ体に相当する）を介装し、固定部材を二つの円弧面を備えたパイプ形状とするとともに、各パネル体の側端面を前記円弧面に対応する曲面を有した凹溝形状として、パネル側端面が固定部材の外周面に沿って開閉揺動することで、指挟みが防止されるようにしたものが提唱されている（特許文献２）。
【特許文献１】特開２００５−３５０９６７号公報
【特許文献２】特表平９−５１２５９７号公報
【発明の開示】
【発明が解決しようとする課題】
【０００４】
ところが、前記特許文献１のものでは、バリケードをパネル体連結部の全ての箇所に設ける必要があり、しかも、バリケードはパネル体の連結がなされてから組み込まれる構成となるので、枚数の多い折り畳み戸装置を構成する場合では、部品点数が多くなって設置作業が面倒なうえ、作業時間が長くなり、コストアップの要因となるという問題がある。
また、特許文献２のものにおいて、パネル体同士を連結するための連結部材は、先端部に各パネル体がそれぞれ連結され、基端部にギア歯とギア歯中心のギア軸とが一体形成された一対のプレート体で構成されており、これらプレート体のギア軸を、固定部材に形成された一対の係止部にそれぞれ係止支持させるように構成されている。しかるに、固定部材は、パネル体と同様の長さを有した長尺体となっており、係止部は長尺方向全長にわたって形成されており、該係止部に支持されるギア軸が揺動支持部となっている。このため、固定部材の上下端面が傾斜状に切断されていたり、固定部材が傾斜して設けられていたりすると、上下のギア軸である揺動支持部に位置ズレが生じてしまい、パネル体の円滑な作動ができなくなるという問題がある。これを回避するには、固定部材を取り付け直したり、上下端面を切断し直す等、手間のかかる高精度の作業が要求されることになり、設置作業が煩雑になるという問題があり、何れのものにおいてもさらなる改善が要求され、ここに本発明の解決すべき課題がある。
【課題を解決するための手段】
【０００５】
本発明は、上記の如き実情に鑑みこれらの課題を解決することを目的として創作されたものであって、請求項１の発明は、二枚のパネル体の側部同士を、パネル面同士が対向する折り畳み姿勢とパネル側端面同士が対向する伸展姿勢とに変姿揺動自在に連結するヒンジユニットであって、該ヒンジユニットを、先端部に各パネル体がそれぞれ固定される一対の取り付けプレートと、これら取り付けプレートの基端部に一体的に設けられ、互いに噛合して回転することで各取り付けプレートを揺動自在とする一対のギア体と、噛合状態のギア体を取り付けプレートとともに回転自在に支持するギアプレートとにより構成したヒンジユニットである。
請求項２の発明は、パネル体は折り戸を構成するものとし、ヒンジユニットにより連結されるパネル体のあいだには、長尺中空状のパイプ体が介装されている請求項１に記載のヒンジユニットである。
請求項３の発明は、ヒンジユニットは、ギアプレートをパイプ体の端部に固定するように構成されている請求項２に記載のヒンジユニットである。
請求項４の発明は、ヒンジユニットのギア体は、パイプ体に内装されるように構成されている請求項２または３に記載のヒンジユニットである。
【発明の効果】
【０００６】
請求項１の発明とすることにより、取り付けプレートの揺動における調整をギアプレートの姿勢により調整することができる。
請求項２の発明とすることにより、ヒンジユニットを用いてパネル体を連結することにより、パネル体同士のあいだにおける指挟みを防止できる。
請求項３の発明とすることにより、取り付けプレートの揺動における調整を、ヒンジユニットのパイプ体への取り付け姿勢により行なうことができて、設置作業の簡略化を図れる。
請求項４の発明とすることにより、ギア体を覆うカバー部材を省略できるものでありながら、ギア体同士のあいだに指が挟まれるようなことを防止できて、部品点数の削減を図れる。
【発明を実施するための最良の形態】
【０００７】
つぎに、本発明の実施の形態について、図面に基づいて説明する。
図面において、１は開口部に設けられる折り戸装置であって、該折り戸装置１を構成し、開口部を開閉するドア体２は、本実施の形態では、二枚（左右一対）の主、副パネル体３、４を用いて構成されている。これら主、副パネル体３、４は、それぞれ前後一対（表裏一対）のパネル面を構成する面板３ａ、４ａのあいだにコア材３ｂ、４ｂが介装され、左右側部および上下端部には、それぞれ左右および上下のエッジ部材３ｃ、４ｃ、３ｄ、４ｄ、３ｅ、４ｅ、３ｆ、４ｆがそれぞれ一体的に配されているが、互いに隣接する主パネル体３の右エッジ部材３ｄと、副パネル体４の左エッジ部材４ｃとは線対称状に形成されており、後述するパイプ体５の半部を構成する円弧面に沿う凹溝状の曲面を有した形状に形成されている。
【０００８】
そして、主、副パネル体３、４同士は、互いに隣接する上下のエッジ部材３ｅ、４ｅ、３ｆ、４ｆの隣接部に、本発明が実施されたヒンジユニット６を設けることで、後述するように、ヒンジユニット６による連結部を揺動支点とする揺動が自在な状態で連結されるように設定されている。
さらに、主パネル体３の戸先側、即ち、図１において左側部位には、前後のパネル面に位置してそれぞれ操作具である把手３ｇが設けられており、該把手３ｇ配設位置の直上よりも僅かに戸尻側となる部位の上エッジ部材３ｅには、ローラユニット７が一体的に設けられている。前記ローラユニット７のローラ７ａは開口部上方の躯体に設けられるガイドレール８に移動自在に吊持されるように構成されており、ローラ７ａを支持するローラ軸７ｂは、主パネル体３に対して回転自在に構成されており、これによって、主パネル体３は、ローラ軸７ｂを揺動支点とする揺動が自在な状態でガイドレール８に吊持状に支持されるように構成されている。
一方、副パネル体４の戸尻側、即ち、図１において右側部において、上エッジ部材４ｅからは上側支持ピン４ｇが上方に突出状に配設されており、該上側支持ピン４ｇは、躯体側の案内レール８に支持されている。また、下エッジ部材４ｆには、躯体側に支持される下側支持ピン４ｈが嵌入支持されており、これによって、副パネル体４は、各支持ピン４ｇ、４ｈを揺動支点とする揺動が自在な状態でガイドレール８に吊持されるとともに躯体側に支持されるように構成されている。
【０００９】
そして、主、副パネル体３、４は、揺動支点であるローラ軸７ｂ、ヒンジユニット６による連結部、上下の支持ピン４ｇ、４ｈ配設部においてそれぞれ揺動することにより、パネル側端面同士である主パネル体右エッジ部材３ｄと副パネル体左エッジ部材４ｃとが対向して開口部に伸展し、開口部を閉鎖する伸展姿勢と、パネル面同士である面板３ａ、４ａ同士が対向するよう折り畳まれ、開口部を開放する折り畳み姿勢とのあいだを揺動変姿するように構成されている。
つまり、折り戸装置１は、主、副パネル体３、４が伸展姿勢となっている状態において、主パネル体３の把手３ｇを把持し、例えば、図１の図面の手前側（前方）に引っ張りながら主パネル体３を右方に向けてスライドさせる操作を行うことで、主パネル体３は、ローラユニット７のローラ軸７ｂを支点として戸先側が前方に揺動し、戸尻側部位（ヒンジユニット６（パイプ体５）配設側）が後方に揺動変位する状態で右方に変位する。これに追随する状態で、副パネル体４は、戸先側部位（ヒンジユニット６（パイプ体５）配設側）が後方に揺動変位し、戸尻側部位が支持ピン４ｇ、４ｈを支点として揺動するように設定されており、これによって、主、副パネル体３、４は、パイプ体５配設部が図１の図面奥側（後方）に退避する状態で折り畳み姿勢となるように構成されている。
因みに、本実施の形態の折り戸装置１は、把手３ｇを把持し、図１の図面の奥側に押しやりながら主パネル体３を右方に向けてスライドさせる操作を行なうことで、主パネル体３のローラユニット７配設部の戸先側部位が後方に変位する状態で右方に変位して、主、副パネル体３、４同士の連結部であるパイプ体５配設部が前方に突出する状態の折り畳み姿勢となるように構成されており、主、副パネル体３、４を前後何れかの方向の折り畳み姿勢で開口部を開放させることができる。
【００１０】
尚、折り戸装置１において、９はドア体２の閉鎖時において、主パネル体３が勢いよく閉鎖するのを緩衝するべくガイドレール８に内装される緩衝装置であり、１０、１０ａは、緩衝装置９の下方と主パネル体３の上エッジ部材３ｅの戸先側部位に設けられる永久磁石であって、これら永久磁石１０、１０ａは、主パネル体３の左エッジ部材３ｃが開口部の戸先側端部の前後方向所定位置に対向する位置決め状態で伸展姿勢となって、開口部を全閉状態にするための位置決め手段であって、これら永久磁石１０、１０ａのうち、主パネル体３（上エッジ部材３ｅ）側に設けられる永久磁石１０ａは、円形に形成することにより、主パネル体３の戸先が精度よく位置決めされるように構成されている。ここで、緩衝装置９と上エッジ部材３ｅとに設けられる一対の永久磁石１０、１０ａのうち、一方のものは必ずしも永久磁石である必要はなく、他方の永久磁石に磁着する磁性部材であればよい。
【００１１】
つぎに、ヒンジユニット６について説明する。
前記ヒンジユニット６は、一対の長尺状の取り付けプレート１１を備えて構成されるが、これら取り付けプレート１１は長尺状の板体で形成されており、先端部に主または副パネル体３または４を連結固定するためのパネル固定片１１ａが形成されており、基端部にギア体１２を連結支持するためのギア連結片１１ｂが形成されている。そして、前記パネル固定片１１ａには各パネル体３、４の上または下エッジ部材３ｅ、３ｆ、４ｅ、４ｆに連結するための螺子孔１１ｃが複数形成され、ギア連結片１１ｂには、角形状の貫通孔１１ｄが貫通状に形成されており、パネル固定片１１ａとギア連結片１１ｂとのあいだには段差部１１ｅが形成されている。尚、１１ｆは、パネル固定片１１ａを主、副パネル体３、４の上下のエッジ部材３ｅ、３ｆ、４ｅ、４ｆに固定するための螺子である。
一方、一対の取り付けプレート１１の各ギア連結片１１ｂに対向状に配される一対のギア体１２は、それぞれ外周面にギア歯１２ａが形成され、ギア中心（軸芯部）には前記取り付けプレート貫通孔１１ｄと同形状の貫通孔１２ｂが開設されている。そして、これらギア体１２同士は、ギア歯１２ａ同士を噛合させることにより、貫通孔１１ｄ形成部位を回転中心として互いに反対方向に向けて回転するように構成されている。
【００１２】
そして、これら一対の取り付けプレート１１と一対のギア体１２とを、ギアプレート１３に回転揺動自在に組み込むことにより、本発明のヒンジユニット６となるように構成されている。
つまり、ギアプレート１３は、一対のギア体１２を噛合させたときの貫通孔１２ｂ形成位置に対向する部位に、それぞれ前記貫通孔１２ｂよりも大径な円形状の貫通孔１３ａが形成されている。そして、本実施の形態では、取り付けプレート１１のギア連結片１１ｂの下方にギアプレート１３を積層し、該ギアプレート１３の下方に、一対のギア体１２を互いに噛合した状態で積層し、この状態において、一対の軸体１４を、各取り付けプレート１１の貫通孔１１ｄ側からギアプレート貫通孔１３ａ、ギア体貫通孔１２ｂの順にそれぞれ挿通し、軸体１４の両端部を固定することにより一体化されるように設定されている。このとき、一対の取り付けプレート１１とギア体１２とは、取り付けプレート１１同士が一直線上に位置する関係を確保できる状態で積層されている。
【００１３】
ここで、前記軸体１４は、挿通基端側に大径の頭部１４ａが設けられ、該頭部１４ａの先端側部位であり、取り付けプレート１１、ギア体１２の各貫通孔１１ｄ、１２ｂに回り止め状に嵌入し、かつ、ギアプレート貫通孔１３ａには遊嵌する基端側軸部１４ｂは四角形状に形成されており、前記基端側軸部１４ｂの先端側となる先端側軸部１４ｃは外周面に螺子溝１４ｄが刻設されている。そして、各軸体１４を取り付けプレート１１側から挿通し、各ギア体１２の下方から突出する先端側軸部１４ｃに、それぞれナット１５をワッシャ１５ａを介して螺合することにより、頭部１４ａとナット１５とにより取り付けプレート１１とギア体１２とが一体化されるように構成されている。このように一体化されたヒンジユニット６は、ギア体１２の噛合に基づく回転で取り付けプレート１１が揺動自在となり、しかも、ギアプレート１３によりギア体１２同士の噛合解除が規制された状態になるように構成されている。そしてこのとき、取り付けプレート１１の揺動は、各軸体１４を揺動支点（揺動支持部）とする揺動となっており、該軸体１４の取り付け姿勢は、ギアプレート１３の取り付け姿勢により調整することができるように構成されている。
尚、１６は各軸体１４に外嵌する一対のブッシュであって、取り付けプレート１１がギアプレート１３に対して円滑に揺動変位できるようにしている。
【００１４】
ここで、折り戸装置１の主、副パネル体３、４を上下一対のヒンジユニット６により揺動自在に連結する場合では、各ヒンジユニット６は、一対の取り付けプレート１１の各先端側のパネル固定片１１ａ同士に、主パネル体３の戸尻側部位と副パネル体４の戸先側部位とが連結されるので、主、副パネル体３、４のあいだに隙間が形成された状態となり、該隙間を塞ぐ状態で前記パイプ体５が配設されている。そして、パイプ体５は左右一対の円弧面を備えたパイプ形状に形成されており、主パネル体３の右エッジ部材３ｄと、副パネル体４の左エッジ部材４ｃとが、パイプ体５の外周面に沿って揺動することにより、主、副パネル体３、４の変姿作動の過程で指挟みするのが防止されるように構成されている。
さらに、前記パイプ体５は、本実施の形態では、内周面に複数のビスポケット５ａが上下方向一帯に長く形成されているとともに、前記ギア体１２を内装することができる大きさに形成されている。
【００１５】
そして、ヒンジユニット６を構成するギアプレート１３は、本実施の形態では、パイプ体５の外形状と同形状のプレート面を備えて構成されており、一対の噛合するギア体１２の外形状よりも大きく形成されている。これによって、前記ヒンジユニット６により主、副パネル体３、４を連結する場合に、ヒンジユニット６のギア体１２をパイプ体５に挿入（内装）した状態で、ギアプレート１３をパイプ体５の上下端面に突き当たるように設定されている。この状態において、予めビスポケット５ａに対向して形成されたギアプレート１３の複数の螺子孔１３ｂにビス１３ｃを挿入し、これらビス１３ｃを、パイプ体５のビスポケット５ａにそれぞれ螺合することにより、ヒンジユニット６は、ギア体１２がパイプ体５に内装された状態で一体化されるように構成されている。そして、このものにおいて、ヒンジユニット６の取り付けプレート１１（主、副パネル体３、４）の揺動支持部を調整をする場合では、ギアプレート１３をパイプ体５に固定するべく各ビス１３ｃを螺合する螺合量を適宜調整することにより、パイプ体５に対するギアプレート１３の取り付け姿勢が調整され、これによって、軸体１４の姿勢調整がなされて、主、副パネル体３、４の上下に配されるヒンジユニット６同士の揺動支持部の調整ができるように構成されている。
尚、ビス１３ｃによるギアプレート１３の螺合操作は、取り付けプレート１１を適宜回転させることにより、ギアプレート１３の外周部全ての螺子孔１３ｂからビス１３ｃを螺合させることができる。
【００１６】
叙述の如く構成された本形態において、二枚の主、副パネル体３、４を揺動自在に連結するヒンジユニット６は、ギアプレート１３に、主、副パネル体３、４に固定されるパネル固定片１１ａが形成された一対の取り付けプレート１１と、これら取り付けプレート１１を揺動自在に変姿させるための一対のギア体１２とが組み込まれて一体化されたものに構成されている。この結果、ギアプレート１３を取り付ける姿勢を調整することで、各取り付けプレート１１の揺動支持部となるギア体１２のギア軸に相当する一対の軸体１４の軸芯位置を調整することができて、ヒンジユニット６を支持するパイプ体５の姿勢に何ら影響を受けることなく、軸体１４の姿勢を調整することができる。
【００１７】
このように、本発明が実施されたヒンジユニット６は、取り付けプレート１１の先端部に主、副パネル体３、４を固定する構成としたので、ヒンジユニット６を用いて主、副パネル体３、４を連結してドア体２を構成して折り戸装置１とする場合に、主、副パネル体３、４は、所定間隙を存して配設され、これらのあいだをパイプ体５が塞ぐ構成となるので、主、副パネル体３、４のあいだに指挟みが生じることを防止できる。
【００１８】
しかも、このものでは、ヒンジユニット６を用いて折り戸装置１を構成する場合に、ヒンジユニット６は、主、副パネル体３、４のあいだに配されるパイプ体５の上下端部に取り付けられることになるが、ヒンジユニット６は、ギアプレート１３のパイプ体５に対する取り付け姿勢を調整することにより、主、副パネル体３、４が連結される取り付けプレート１１の揺動支持部（軸体１４）の姿勢調整をすることができ、従来の連結部材を固定部材に直接係止させて揺動中心を固定部材側に設けるもののように、取り付けプレート１１の軸芯合わせの調整に固定部材の影響をうけることがないので、調整が容易で、設置作業の簡略化を図ることができる。
【００１９】
そのうえ、このものでは、ヒンジユニット６のギア体１２をパイプ体５に内装することができるので、ギア体１２同士のあいだに指挟みされるのを防止するべく、ギア体１２を覆うカバー部材を別途設けるような必要がなくなって、部品点数の削減を図ることができる。
【００２０】
尚、本発明は前記実施の形態に限定されないことは勿論であって、図８に示す第二の実施の形態のように構成することができる。
前記第二の実施の形態のパイプ体５は、第一の実施の形態と同様のものが用いられており、ヒンジユニット１７は、パイプ体５と同様の外形状をした有底筒状のケース体１８に、ギアプレート１９と一対のギア体２０とを収容し、これらギア体２０に取り付けプレート２１のギア連結片２１ａを積層した状態とし、さらに、前記ケース体１８の下方に、パイプ体５の上下端部に圧入可能な形状に形成された圧入用ケース部２２を積層し、これらケース体１８、ギアプレート１９、ギア体２０、取り付けプレート２１、圧入用ケース部２２とを、一対の軸体２３により一体化することで構成されている。このように構成することにより、ヒンジユニット１７は、一対のギア体２０の噛合に基づく回転により、先端部２１ｂに主、副パネル体が連結される取り付けプレート２１が揺動するように構成されるが、このものでは、圧入用ケース部２２をパイプ体５に圧入することでパイプ体５に支持される構成となっており、圧入用ケース部２２のパイプ体５への圧入姿勢を調整することにより、取り付けプレート２１の揺動支持部（軸体２３）を調整できる。
【００２１】
また、図９に示す第三の実施の形態のように構成することもできる。
前記第三の実施の形態のヒンジユニット２４は、前記第一の実施の形態の基本構成と同様に、ヒンジユニット２４の図示しないギア体がパイプ体２５に内装される構成であるが、前記パイプ体２５とギアプレート２６との形状は、前後方向一方（後方）の側面は、前記第一の実施の形態と同様で円弧状の曲面が二つ連結された形状であるが、他方（前方）の側面２５ａ、２６ａは平面状に形成されている。そして、この場合では、取り付けプレート２７に固定された主、副パネル体２８、２９とは、図９（Ｂ）に示すように、前方に突出する状態に揺動することはできるが、後方に突出する状態の揺動は、各パネル体２８、２９に固定されたエッジ部材２８ａ、２９ａがパイプ体２５の平面状の側面２５ａに干渉して揺動規制されるように構成されている。
【図面の簡単な説明】
【００２２】
【図１】折り戸装置の概略正面図である。
【図２】折り戸装置の一部を切り欠いた一部断面平面図である。
【図３】図３（Ａ）、（Ｂ）はそれぞれ図１におけるＸ−Ｘ断面図、Ｙ−Ｙ断面図である。
【図４】図４（Ａ）、（Ｂ）はそれぞれヒンジユニットの分解斜視図、正面図である。
【図５】折り戸装置の一部を切り欠いた正面図である。
【図６】折り戸装置の一部を切り欠いた斜視図である。
【図７】主、副パネル体の作動を説明する平面図である。
【図８】図８（Ａ）、（Ｂ）はそれぞれ第二の実施の形態におけるヒンジユニットの分解正面図、ヒンジユニットをパネル体に連結した状態の平面図である。
【図９】図９（Ａ）、（Ｂ）はそれぞれ第三の実施の形態におけるヒンジユニットを説明する平面図、パネル体同士が折り畳まれた状態を説明する平面図である。
【符号の説明】
【００２３】
１    折り戸装置
２    ドア体
３    主パネル体
３ｅ    上エッジ部材
４    副パネル体
５    パイプ体
６    ヒンジユニット
１１    取り付けプレート
１２    ギア体
１３    ギアプレート
１４    軸体
１５    ナット
【図１】
2008303561.tif 000003
【図２】
2008303561.tif 000004
【図３】
2008303561.tif 000005
【図４】
2008303561.tif 000006
【図５】
2008303561.tif 000007
【図６】
2008303561.tif 000008
【図７】
2008303561.tif 000009
【図８】
2008303561.tif 000010
【図９】
2008303561.tif 000011